(57)【特許請求の範囲】
【請求項１】
四角形状の底板と、該底板の対向する一対の第１辺に下辺がそれぞれ回動可能に連結された一対の第１側壁板と、底板の対向する一対の第２辺に下辺がそれぞれ回動可能に連結された一対の第２側壁板とを有し、折り畳み時には底板上面に前記第２側壁板、前記第１側壁板の順に重ねて折り畳まれ、組立時には底板から立ち上げた両第１側壁板の両端部内面間に各第２側壁板の両端をそれぞれ挟むようにして組み立てられ、この組立状態で、前記第２側壁板の上辺部に第２側壁板の両端から突出可能に設けた一対のラッチ部材を、前記第１側壁板に設けたラッチ受けにそれぞれ係合させることによって組立状態を保持するように形成した折り畳みコンテナであって、前記ラッチ部材は、第２側壁板の上辺に対して平行な方向にスライド可能に設けられ、各先端が第２側壁板の端面からそれぞれ突出可能に設けられた一対のラッチバーと、第２側壁板の上部中央部に上辺に対して平行な方向に配置された操作バーと、該操作バーを上下方向に移動可能にガイドするガイド部と、該操作バーの上下方向の動きを各ラッチバーのスライド方向の動きにそれぞれ変換する作動方向変換手段と、各ラッチバーの先端を第２側壁板の端面からそれぞれ突出させる方向に操作バー及びラッチバーの少なくともいずれか一方を付勢する付勢手段とを備え、前記作動方向変換手段は、前記操作バーの両端と前記一対のラッチバーの基端とをそれぞれ連結する左右一対の連結片からなり、該連結片は、各ラッチバーの基端から第２側壁板の上辺方向かつ第２側壁板の両端方向に向かって略Ｖ字状に屈曲した第１屈曲部と、操作バーの各端部から第２側壁板の下辺方向かつ第２側壁板の中心方向に向かって略Ｖ字状に屈曲した第２屈曲部とを介して両ラッチバーの基端及び操作バーの両端にそれぞれ連結され、前記操作バーの下方への移動によって両屈曲部を鋭角に屈曲させることにより、両ラッチバーが第２側壁板中心方向に移動するように形成され、前記付勢手段は、前記両屈曲部が鋭角に屈曲したときの弾性復元力によって前記操作バーを上方に付勢するとともに、各ラッチバーの先端が第２側壁板の端面からそれぞれ突出する方向にラッチバーを付勢するように形成されている折り畳みコンテナ。
【請求項２】
前記ラッチ部材は、前記第２側壁板とは異なる色調を有している請求項１記載の折り畳みコンテナ。
【請求項３】
前記第２側壁板の上辺上面片には、前記操作バーの上面の一部を第２側壁板の上部に露出させるための切欠部が設けられている請求項１記載の折り畳みコンテナ。
【請求項４】
前記切欠部から露出する前記操作バーの上面は、前記第２側壁板の上辺上面片の上面より低い位置に露出している請求項３記載の折り畳みコンテナ。
【請求項５】
前記切欠部から露出する前記操作バーの上面は、滑り止め用の凹凸を有している請求項３記載の折り畳みコンテナ。
【請求項６】
前記ガイド部は、前記第２側壁板の外面に形成した横リブを貫通させて設けるとともに、該横リブを貫通したガイド部の下端に、前記操作バーと一体に上下動する掴み片を有している請求項１記載の折り畳みコンテナ。
【請求項７】
前記掴み片の下面は、前記横リブの下面と略面一に設けられている請求項６記載の折り畳みコンテナ。
【請求項８】
前記付勢手段は、前記ラッチバーから前記第２側壁板の上辺方向に向かって突出したバネ片と、該バネ片の基端側の側面に摺接するように前記第２側壁板の上辺から下方に向かって突出したバネ受部とを有し、前記ラッチバーが第２側壁板の中心方向に移動したときに、バネ片の基端側の側面が前記バネ受部に摺接することによってバネ片が弾性変形し、弾性変形したバネ片の弾性復元力によって前記ラッチバーの先端が第２側壁板の端面から突出する方向にラッチバーを付勢する請求項１記載の折り畳みコンテナ。
【請求項９】
前記付勢手段は、前記操作バーの下面から前記第２側壁板の下方に向かって突出したバネ片と、該バネ片の下面に摺接するように第２側壁板の外面に突設したバネ受部とを有し、前記操作バーが下方に移動したときに、前記バネ片の下面が前記バネ受部に圧接することによってバネ片が弾性変形し、弾性変形したバネ片の弾性復元力によって前記操作バーを前記第２側壁板の上方に付勢する請求項１記載の折り畳みコンテナ。
【請求項１０】
前記底板の側縁部の上面と底板側縁から立ち上がる立上片の内面とには、両者にわたって連続した凹溝が設けられている請求項１記載の折り畳みコンテナ。
【発明の詳細な説明】
【技術分野】
【０００１】
本発明は、折り畳みコンテナに関し、詳しくは、四角形状の底板の四辺に対向して設けた各一対の第１側壁板及び第２側壁板を底板上面に重ねるようにして折り畳むことができる折り畳みコンテナに関する。
【背景技術】
【０００２】
従来から、四角形状の底板の対向する一対の長辺に長辺板をそれぞれ回動可能に連結するとともに、一対の短辺に短辺板をそれぞれ回動可能に連結し、不使用時には、底板上面に短辺板及び長辺板を重ねるようにして折り畳むことができる折り畳みコンテナが知られている。
【０００３】
この折り畳みコンテナの組立時には、底板から略垂直に立ち上げた両長辺板の両端部内面間に、後から立ち上げた短辺板の両端がそれぞれ挟み込まれる状態となる。このとき、両長辺板は、各短辺板によって内側への倒れが防止されているが、長辺板及び短辺板の外側への倒れを防止するため、長辺板と短辺板とを係止部でそれぞれ係止させるとともに、短辺板両端から出没する係合部材を長辺板にそれぞれ係合させることにより、短辺板の内側への倒れを防止するようにしている（例えば、特許文献１参照。）。
【特許文献１】特開２００３−１６５５３６号公報
【発明の開示】
【発明が解決しようとする課題】
【０００４】
しかし、従来の折り畳みコンテナにおける長辺板と短辺板との係合構造は、複雑なものが多く、また、係合を解除する際に両手を使用する必要があったり、短辺板の折り畳み操作に対して不自然な指の動きが求められるものが多かった。
【０００５】
そこで本発明は、簡単な構造で、短辺板の折り畳み操作も円滑に行うことができ、さらに、不用意に係合状態が解除されてしまうこともない係合構造を備えた折り畳みコンテナを提供することを目的としている。
【課題を解決するための手段】
【０００６】
上記目的を達成するため、本発明の折り畳みコンテナは、四角形状の底板と、該底板の対向する一対の第１辺に下辺がそれぞれ回動可能に連結された一対の第１側壁板と、底板の対向する一対の第２辺に下辺がそれぞれ回動可能に連結された一対の第２側壁板とを有し、折り畳み時には底板上面に前記第２側壁板、前記第１側壁板の順に重ねて折り畳まれ、組立時には底板から立ち上げた両第１側壁板の両端部内面間に各第２側壁板の両端をそれぞれ挟むようにして組み立てられ、この組立状態で、前記第２側壁板の上辺部に第２側壁板の両端から突出可能に設けた一対のラッチ部材を、前記第１側壁板に設けたラッチ受けにそれぞれ係合させることによって組立状態を保持するように形成した折り畳みコンテナであって、前記ラッチ部材は、第２側壁板の上辺に対して平行な方向にスライド可能に設けられ、各先端が第２側壁板の端面からそれぞれ突出可能に設けられた一対のラッチバーと、第２側壁板の上部中央部に上辺に対して平行な方向に配置された操作バーと、該操作バーを上下方向に移動可能にガイドするガイド部と、該操作バーの上下方向の動きを各ラッチバーのスライド方向の動きにそれぞれ変換する作動方向変換手段と、各ラッチバーの先端を第２側壁板の端面からそれぞれ突出させる方向に操作バー及びラッチバーの少なくともいずれか一方を付勢する付勢手段とを備え、前記作動方向変換手段は、前記操作バーの下方への移動を、前記各ラッチバーが第２側壁板の中央方向に移動してラッチバー先端が前記ラッチ受けからそれぞれ離脱する方向に変換するように、前記操作バーの両端と前記一対のラッチバーの基端とをそれぞれ連結する左右一対の連結片からなり、該連結片は、各ラッチバーの基端から第２側壁板の上辺方向かつ第２側壁板の両端方向に向かって略Ｖ字状に屈曲した第１屈曲部と、操作バーの各端部から第２側壁板の下辺方向かつ第２側壁板の中心方向に向かって略Ｖ字状に屈曲した第２屈曲部とを介して両ラッチバーの基端及び操作バーの両端にそれぞれ連結され、前記操作バーの下方への移動によって両屈曲部を鋭角に屈曲させることにより、両ラッチバーが第２側壁板中心方向に移動するように形成され、前記付勢手段は、前記両屈曲部が鋭角に屈曲したときの弾性復元力によって前記操作バーを上方に付勢するとともに、各ラッチバーの先端が第２側壁板の端面からそれぞれ突出する方向にラッチバーを付勢するように形成されている。
【０００７】
また、上記構成において、前記ラッチ部材は、前記第２側壁板とは異なる色調を有している。前記第２側壁板の上辺上面片には、前記操作バーの上面の一部を第２側壁板の上部に露出させるための切欠部を設けられている。
【０００８】
前記切欠部から露出する前記操作バーの上面は、前記第２側壁板の上辺上面片の上面より低い位置に露出している。あるいは、前記切欠部から露出する前記操作バーの上面は、滑り止め用の凹凸を有している。
【０００９】
前記ガイド部は、前記第２側壁板の外面に形成した横リブを貫通させて設けるとともに、該横リブを貫通したガイド部の下端に、前記操作バーと一体に上下動する掴み片を有している。前記掴み片の下面は、前記横リブの下面と略面一に設けられている。
【００１０】
前記付勢手段は、前記ラッチバーから前記第２側壁板の上辺方向に向かって突出したバネ片と、該バネ片の基端側の側面に摺接するように前記第２側壁板の上辺から下方に向かって突出したバネ受部とを有し、前記ラッチバーが第２側壁板の中心方向に移動したときに、バネ片の基端側の側面が前記バネ受部に摺接することによってバネ片が弾性変形し、弾性変形したバネ片の弾性復元力によって前記ラッチバーの先端が第２側壁板の端面から突出する方向にラッチバーを付勢する。
【００１１】
前記付勢手段は、前記操作バーの下面から前記第２側壁板の下方に向かって突出したバネ片と、該バネ片の下面に摺接するように第２側壁板の外面に突設したバネ受部とを有し、前記操作バーが下方に移動したときに、前記バネ片の下面が前記バネ受部に圧接することによってバネ片が弾性変形し、弾性変形したバネ片の弾性復元力によって前記操作バーを前記第２側壁板の上方に付勢する。
【００１２】
前記底板の側縁部の上面と底板側縁から立ち上がる立上片の内面とには、両者にわたって連続した凹溝が設けられている。
【発明の効果】
【００１３】
本発明の折り畳みコンテナは、組立状態のコンテナを折り畳むときには、第２側壁板の上部中央部に設けた操作バーを下方に押動するだけでラッチバーとラッチ受けとの係合状態を解除できるので、第２側壁板の折り畳み操作を簡単かつ円滑に行うことができる。
【００１４】
両ラッチバーの基端及び操作バーの両端を、第１屈曲部及び第２屈曲部を有する連結片で連結することにより、作動方向変換手段と付勢手段とを一体化できる。
【００１５】
ラッチ部材を第２側壁板と異なる色調とすることにより、ラッチ部材の視認性を高めることができる。
【００１６】
第２側壁板の上辺上面片に操作バーの上面の一部を露出させる切欠部を設けることにより、操作バーの視認性及び操作性を向上できる。操作バーの上面を第２側壁板の上辺上面片の上面より低い位置に露出させることにより、操作バーの位置を指で容易に認識できる。切欠部から露出する操作バーの上面に滑り止め用の凹凸を設けることにより、操作バーを押し下げるときに指が滑らない。
【００１７】
ガイド部の下端に掴み片を設けることにより、組立状態の折り畳みコンテナを持ち上げるときに、操作バーと掴み片とが親指と他の指とで上下から挟み込まれるので、操作バーが下方に移動することを防止できる。掴み片の下面と横リブの下面とを略面一にすることにより、組立状態の折り畳みコンテナを持ち上げるときに、親指以外の指を違和感なく掴み片の下面と横リブの下面とに掛けることができる。
【００１８】
付勢手段を、ラッチバーと第２側壁板とにそれぞれ設けたバネ片とバネ受部とで形成することにより、より確実な付勢力を得ることができる。
【００１９】
底板の側縁部の上面と底板側縁から立ち上がる立上片の内面とに凹溝を設けることにより、底板上に敷いた樹脂板等の取り外しを容易に行える。
【発明を実施するための最良の形態】
【００２０】
図１乃至図１３は、本発明の折り畳みコンテナの一形態例を示している。
【００２１】
この折り畳みコンテナは、第１辺が長辺、第２辺が短辺、第１側壁板が長辺板、第２側壁板が短辺板となっている。
【００２２】
図１乃至図４は、ラッチ部材をラッチ受けに係合させた組立状態の折り畳みコンテナを示している。
【００２３】
まず、図８乃至図１３において、折り畳みコンテナ１１は、対向する一対の長辺側立上片１２ａ及び一対の短辺側立上片１２ｂを有する四角形状の底板１２と、該底板１２の対向する長辺側立上片１２ａに下辺が回動可能に連結された一対の長辺板１３，１３と、底板１２の対向する短辺側立上片１２ｂに下辺が回動可能に連結された一対の短辺板１４，１４とを有している。前記長辺側立上片１２ａは、短辺側立上片１２ｂより立ち上がり量が大きく形成されている。組立時の折り畳みコンテナ１１は、両長辺板１３，１３の両端内面に短辺板１４，１４の両端がそれぞれ挟み込まれた状態で、上方が開口した箱状となるように形成されている。
【００２４】
底板１２の一部には、底板１２の側縁部の上面と長辺側立上片１２ａの内面とにわたって連続した凹溝１２ｃが設けられている。この凹溝１２ｃに指を挿入することにより、底板１２の上に敷いた樹脂板等の取り外しを容易に行うことができる。
【００２５】
組み立てられた状態の折り畳みコンテナ１１の折り畳みは、まず、立ち上がり量が小さな短辺側立上片１２ｂに連結された両短辺板１４，１４を底板１２の上面に折り畳む。次に、立ち上がり量が大きな長辺側立上片１２ａに連結された両長辺板１３，１３を短辺板１４，１４の上に重なるようにそれぞれ折り畳む。これにより、折り畳みコンテナ１１は、図９に示すような折り畳み状態となる。また、折り畳み状態の折り畳みコンテナ１１の組み立ては、両長辺板１３，１３を底板１２に対して略垂直にそれぞれ立ち上げた後、両短辺板１４，１４を底板１２に対して略垂直に立ち上げる。これにより、折り畳みコンテナ１１は、図８に示す組立状態となる。
【００２６】
図１０乃至図１２に示すように、底板１２と長辺板１３との連結部は、長辺側立上片１２ａに設けたヒンジ受け１５に長辺板１３の下部に設けた水平方向のヒンジピン１６を回動可能に嵌合させた構造を有している。ヒンジピン１６は、長辺板１３の下部に突設したヒンジ板１６ａの両側面にそれぞれ設けられている。ヒンジ受け１５は、長辺側立上片１２ａの天板１５ａに設けたヒンジピン１６を挿入するための幅広の開口部１５ｂと、内壁１５ｃに設けたヒンジ板１６ａを挿入するための幅狭の開口部１５ｄとを有している。また、外壁１５ｅのコンテナ内面側には、前記ヒンジ板１６ａの先端を支持する支持板１５ｆが突設されており、内壁１５ｃのコンテナ外面側には、ヒンジピン１６が係合する係合突起１５ｇが設けられている。
【００２７】
ヒンジピン１６は、開口部１５ｂからヒンジ受け１５に挿入され、係合突起１５ｇを設けた内壁１５ｃがコンテナ内部側に弾性変形することにより、係合突起１５ｇを乗り越えて係合突起１５ｇの下面に回動可能な状態で係合する。これにより、長辺板１３は、底板１２に対して回動可能に連結され、組立時に長辺側立上片１２ａの上面と長辺板１３の下面とが当接することによってコンテナ外方への倒れが防止される。
【００２８】
底板１２と短辺板１４との連結部も、長辺板１３の連結部と同じ構造に形成されている。なお、長辺側立上片１２ａのヒンジ受け１５は、折り畳み時の長辺板１３と短辺板１４との位置関係から短辺側立上片１２ｂ側よりも高い位置に設けられている。
【００２９】
図１３に示すように、長辺板１３と短辺板１４との当接部には、長辺板１３と短辺板１４とを組立状態に保持するための係止部１７及び係合部１８が設けられている。係止部１７は、長辺板１３の端部から短辺板１４の方向に突設した上下各２箇所の係止孔２１と、この係止孔２１に対応した位置で短辺板１４の外面に突設した係止突起２２とからなるものであり、組立時に各係止突起２２が各係止孔２１にそれぞれ嵌合することにより、長辺板１３及び短辺板１４の外側への倒れが防止される。
【００３０】
前記係合部１８は、短辺板１４の上辺部に設けられたラッチ部材２３と、長辺板１３の上部内面に設けられたラッチ受け２４とにより形成されている。ラッチ部材２３の先端は、短辺板１４の端面から突出してラッチ受け２４に係合し、短辺板１４の内側への倒れを防止する。ラッチ部材２３を短辺板１４内に引き込んでラッチ受け２４との係合を解除すると、短辺板１４は、内側へ折り畳める。
【００３１】
図１乃至図７に示すように、ラッチ部材２３は、前記短辺板１４とは異なる色調を有している。このラッチ部材２３は、短辺板１４の上辺上面片１４ａに平行な横リブ１４ｂの上面に沿ってスライド可能に設けられた一対のラッチバー２５，２５と、上辺上面片１４ａの下面に沿うように設けられた操作バー２６と、該操作バー２６の両端と両ラッチバー２５の基端とを連結するバネ部材２７と、操作バー２６を上下動可能にガイドするガイド部２８と、ガイド部２８の下端に設けられた掴み片２９とにより形成されている。
【００３２】
上辺上面片１４ａの中央部には、前記操作バー２６の上面２６ａを短辺板１４の上部に露出させる切欠部３１が設けられている。横リブ１４ｂの中央部には、ガイド部２８及び掴み片２９が貫通する開口３３が設けられている。この開口３３の両側には、前記ガイド部２８を上下動可能に保持するガイド片３２が設けられている。図４に示すように、操作バー２６の上面２６ａは、上辺上面片１４ａの上面１４ｃより低い位置に露出しており、操作バー２６の上面２６ａと上辺上面片１４ａの上面１４ｃとに段差が設けられている。これにより、操作バー２６の位置を指で容易に認識できるようにしている。
【００３３】
前記掴み片２９の下面２９ａと前記横リブ１４ｂの下面１４ｄとは、略面一になるように形成されており、横リブ１４ｂの外端には、下方に向かって突出する指掛け片１４ｅが設けられている。このように、前記横リブ１４ｂの下面１４ｄと掴み片２９の下面２９ａとを略面一に形成することにより、組立状態の折り畳みコンテナ１１を、短辺板１４の上辺上面片１４ａと横リブ１４ｂとの中央部を掴んで持ち上げようとしたときに、親指以外の指を横リブ１４ｂの下面１４ｄと掴み片２９の下面２９ａとにバランスよく掛けることができる。
【００３４】
さらに、前記切欠部３１を通して親指が操作バー２６の上面２６ａを押圧して操作バー２６を押し下げるような状態になっても、操作バー２６と掴み片２９とが親指と他の指とで上下から挟み込まれるので、操作バー２６が下方に移動することがない。したがって、ラッチ部材２３の係合状態が不用意に解除されることがない。また、指掛け片１４ｅに指をかけた状態で折り畳みコンテナ１１を容易に持ち上げることができる。
【００３５】
前記バネ部材２７は、付勢手段として機能するとともに、作動方向変換手段としても機能する。バネ部材２７は、連結片３４の両端に、両ラッチバー２５の基端から上辺方向かつ短辺板両端方向に向かって略Ｖ字状に屈曲した第１屈曲部３５と、操作バー２６の両端から下辺方向かつ短辺板中心方向に向かって略Ｖ字状に屈曲した第２屈曲部３６とを有している。各屈曲部３５，３６は、反屈曲方向（延び方向）への弾発力を有している。したがって、このバネ部材２７の弾発力は、ラッチバー２５を短辺板１４の端面から突出する方向に付勢し、操作バー２６を上方に向かって付勢している。
【００３６】
通常の状態では、図１乃至図３に示すように、前記操作バー２６は、バネ部材２７の付勢力で上辺上面片１４ａの下面に押し付けられた状態になり、両ラッチバー２５は、先端外面のテーパー面２５ａが短辺板１４の端面からそれぞれ突出した状態となるように、各部の形状、寸法が設定されている。
【００３７】
折り畳みコンテナ１１を組み立てるときに、ラッチ受け２４の外面にラッチバー２５の先端のテーパー面２５ａが当接すると、ラッチバー２５がバネ部材２７の付勢力に抗して短辺板１４内に押し込まれる。そして、ラッチバー２５の先端がラッチ受け２４を通過したときに、付勢手段としてのバネ部材２７の付勢力によってラッチバー２５が短辺板１４の端面から突出し、ラッチバー２５とラッチ受け２４とが自動的に係合状態となる。
【００３８】
組立状態の折り畳みコンテナ１１を折り畳むには、掴み片２９に触れないようにして切欠部３１から露出した操作バー２６を押し下げる。これにより、図５乃至図７に示すように、バネ部材２７の作動方向変換手段としての機能が働き、両屈曲部３５，３６が鋭角に屈曲した状態となり、連結片３４が操作バー２６の下方に折り畳まれた状態となる。これにより、両ラッチバー２５が短辺板中心方向に移動して先端が短辺板１４内に入り込み、ラッチバー先端がラッチ受け２４から離脱して係合状態が解除され、短辺板１４を内側へ折り畳める状態となる。
【００３９】
したがって、折り畳みコンテナ１１の組み立ては、長辺板１３を立ち上げてから短辺板１４を立ち上げるだけでよく、自動的に係止部１７が係止するとともに係合部１８も係合状態となる。また、折り畳みコンテナ１１の折り畳みは、短辺板１４の切欠部３１から操作バー２６を押し下げるだけで短辺板１４を内側に折り畳むことができる。したがって、折り畳みコンテナ１１の組み立てや折り畳みを極めて容易に行うことができる。
【００４０】
さらに、ラッチ部材２３と短辺板１４とを異なる色調にすると、操作バー２６を容易に確認することができ、折り畳む際の操作性を向上させることができる。また、操作バー２６の上面２６ａと上辺上面片１４ａの上面１４ｃとに前述のような段差を設けておくことにより、ハンドリング時に切欠部３１の近傍を持った場合でも、操作バー２６に直接触れる機会が少なくなり、誤って操作バー２６を押し下げることがなくなる。加えて、折り畳みコンテナ１１を組み立てて段積みした際には、操作バー２６が上方の折り畳みコンテナ１１の下部フランジによって隠された状態になるので、操作バー２６を誤って操作することによる荷崩れの発生も防止できる。
【００４１】
また、図１４や図１５に示すように、操作バー２６の上面に小さな突起４１（図１４）やシボ、あるいは、小さなリブ４２（図１５）を複数乃至多数設けることにより、操作バー２６を押し下げる際に指が滑ることがなくなり、操作性を向上させることができる。
【００４２】
前記付勢手段としては、前記バネ部材２７だけではなく、図１６及び図１７に示すように、前記ラッチバー２５から上辺方向にバネ片５１を突設するとともに、上辺上面片１４ａから下方に向かってバネ受部５２を突設し、ラッチバー２５が短辺板中心方向に移動したときに、バネ片５１がバネ受部５２に摺接しながら弾性変形するように形成し、バネ片５１の弾性復元力によってラッチバー２５を突出方向に付勢するようにしてもよい。
【００４３】
また、操作バー２６の下面から下方に円弧状のバネ片５３を突出させるとともに、このバネ片５３の側面（下面）を、バネ受部となる横リブ１４ｂの上面に圧接させ、操作バー２６が下方に移動したときにバネ片５３が弾性変形するように形成し、バネ片５３の弾性復元力によって操作バー２６を上方に付勢するようにしてもよい。
【００４４】
なお、本形態例の折り畳みコンテナは、第１辺が長辺、第２辺が短辺、第１側壁板が長辺板、第２側壁板が短辺板としたが、第１辺を短辺、第２辺を長辺、第１側壁板を短辺板、第２側壁板を長辺板とした折り畳みコンテナでもよい。
【図面の簡単な説明】
【００４５】
【図１】本発明の一形態例を示す組立状態の折り畳みコンテナを短辺側から見た正面    図
【図２】同じくラッチ部材とラッチ受けとの状態を示す要部の断面平面図
【図３】同じく要部の斜視図
【図４】同じく要部の断面図
【図５】同じくラッチ部材とラッチ受けとの係合を解除した状態を示す短辺側から見    た正面図
【図６】同じくラッチとラッチ受けとの状態を示す要部の断面平面図
【図７】同じく要部の斜視図
【図８】同じく組立状態の折り畳みコンテナを示す斜視図
【図９】同じく折り畳み状態の折り畳みコンテナを示す斜視図
【図１０】同じく組立状態の底板と長辺板との連結部を示す縦断面図
【図１１】同じく折り畳み状態の底板と長辺板との連結部を示す縦断面図
【図１２】同じく折り畳み状態の底板と長辺板との連結部を示す平面図
【図１３】同じく長辺板と短辺板との関係を示す要部の斜視図
【図１４】操作バー上面の他の形状例を示す斜視図
【図１５】操作バー上面の他の形状例を示す斜視図
【図１６】ラッチ部材をラッチ受けに係合させた状態の要部の正面図
【図１７】ラッチ部材とラッチ受けとの係合を解除した状態の要部の正面図
【符号の説明】
【００４６】
１１…折り畳みコンテナ、１２…底板、１２ａ…長辺側立上片、１２ｂ…短辺側立上片、１２ｃ…凹溝、１３…長辺板、１４…短辺板、１４ａ…上辺上面片、１４ｂ…横リブ、１４ｃ…上面、１４ｄ…下面、１４ｅ…指掛け片、１５…ヒンジ受け、１６…ヒンジピン、１７…係止部、１８…係合部、２１…係止孔、２２…係止突起、２３…ラッチ部材、２４…ラッチ受け、２５…ラッチバー、２５ａ…テーパー面、２６…操作バー、２６ａ…上面、２７…バネ部材、２８…ガイド部、２９…掴み片、２９ａ…下面、３１…切欠部、３２…ガイド片、３３…開口、３４…連結片、３５…第１屈曲部、３６…第２屈曲部、４１…突起、４２…リブ、５１…バネ片、５２…バネ受け部、５３…バネ片 
【図１】
0004008472.tif 000002
【図２】
0004008472.tif 000003
【図３】
0004008472.tif 000004
【図４】
0004008472.tif 000005
【図５】
0004008472.tif 000006
【図６】
0004008472.tif 000007
【図７】
0004008472.tif 000008
【図８】
0004008472.tif 000009
【図９】
0004008472.tif 000010
【図１０】
0004008472.tif 000011
【図１１】
0004008472.tif 000012
【図１２】
0004008472.tif 000013
【図１３】
0004008472.tif 000014
【図１４】
0004008472.tif 000015
【図１５】
0004008472.tif 000016
【図１６】
0004008472.tif 000017
【図１７】
0004008472.tif 000018